(57)【要約】【課題】  所定の日付表示部がはっきりと識別して視認することが出来るようにしたカレンダー構造を実現することを課題とする。【解決手段】  年度、月次、日付、曜日等が印刷されており、日付表示部（４２）毎に一つのスリット（４１）が形成してあるカレンダー（４）と、内側が可視エリア（３）である枠部（２）を有し、且つ、枠部（２）より内側に一つの引っかけ部（２１）が突出している表示枠部材（１）とを有する。表示枠部材（１）は、その引っかけ部（２１）を目的とする日付表示部（４２）に対応するスリット（４１）に通してカレンダー（４）に取り付けられ、枠部（２）で囲まれた可視エリア（３）内に、日付表示部（４２）が視認できて日付をはっきりと識別することができる。枠部（２）の形状に変化を加えることもできるため、日付表示及び記事機能を兼備した実用的で便利なカレンダー構造が実現できる。【選択図】  図３
0003128213.tif 000002
【実用新案登録請求の範囲】
【請求項１】
年度、月次、日付、曜日等が印刷されており、日付表示部（４２）毎に一つのスリット（４１）が形成してあるカレンダー（４）と、
内側が可視エリア（３）である枠部（２）を有し、且つ、該枠部（２）より内側に一つの引っかけ部（２１）が突出している表示枠部材（１）とを有し、
該表示枠部材（１）を、その引っかけ部（２１）を目的とする日付表示部（４２）に対応するスリット（４１）に通して前記カレンダー（４）に取り付け、前記枠部（２）で囲まれた前記可視エリア（３）内に、前記日付表示部（４２）が視認できて日付をはっきりと識別することができるようにしたカレンダー構造。
【請求項２】
請求項１に記載のカレンダー構造において、
前記表示枠部材（１）は、前記枠部（２）の下側の辺部（２ｂ）の内側の縁より外側に向いて且つ下側に向いて形成された一つの挟み部（２２）を有し、且つ、前記下側の辺部（２ｂ）に前記挟み部（２２）の下側部が嵌合する固定嵌合溝（２３）を有し、
前記挟み部（２２）と前記固定嵌合溝（２３）との間にメモ用紙が挟んで固定される構成としたカレンダー構造。
【請求項３】
請求項１に記載のカレンダー構造において、
前記表示枠部材（１）は、前記枠部（２）に、当日の日付、誕生日、デート、家族行事、出張等の予定が印刷してある構成であるカレンダー構造。
【請求項４】
請求項１に記載のカレンダー構造において、
前記表示枠部材（１）は、前記可視エリア（３）が、円形、長方形、多角形、或いはキャラクターの形状であるカレンダー構造。
【考案の詳細な説明】
【技術分野】
【０００１】
本考案はカレンダー構造に係り、特定の日付を標識できるようにした造形及び表示枠機能を兼ね備えたカレンダー構造に関する。
【背景技術】
【０００２】
一般的に使用されているカレンダー構造は、大型ペーパーの上に年度、月次、日付、曜日及び図柄、会社商標等の情報が印刷されており、使用者は該当月の日付を確認し、仕事、私用、デート、記念日等の予定を書き込むことができる大変実用的なものとなっている。
【考案の開示】
【考案が解決しようとする課題】
【０００３】
そのカレンダー構造は、当日の正確な日付を確認することができず、また、使用者が予定を記入する際、ボールペン、サインペンまたはその他の色ペンを使って該当日付に丸を付けたり、日付の脇に誕生日、出張、会食、家族行事といった様々な予定を書き込むため、内容が雑多で、識別しにくいという欠点があった。
【０００４】
本考案者は長年カレンダー構造を研究してきた経験を活かし、造型及び表示枠を具備したカレンダー構造を開発した。
【０００５】
本考案は、上記課題を解決した造形及び表示枠機能を兼ね備えたカレンダー構造を提供することを目的とする。
【課題を解決するための手段】
【０００６】
本考案は、年度、月次、日付、曜日等が印刷されており、日付表示部（４２）毎に一つのスリット（４１）が形成してあるカレンダー（４）と、
内側が可視エリア（３）である枠部（２）を有し、且つ、該枠部（２）より内側に一つの引っかけ部（２１）が突出している表示枠部材（１）とを有し、
該表示枠部材（１）を、その引っかけ部（２１）を目的とする日付表示部（４２）に対応するスリット（４１）に通して前記カレンダー（４）に取り付け、前記枠部（２）で囲まれた前記可視エリア（３）内に、前記日付表示部（４２）が視認できて日付をはっきりと識別することができるようにしたことを特徴とする。
【考案の効果】
【０００７】
使用者は、枠部（２）で囲まれた中に日付表示部（４２）をはっきりと識別して視認することが出来、当日の日付、誕生日、デート、家族行事、出張等の予定を明確に確認することができる。
【考案を実施するための最良の形態】
【０００８】
以下、本考案の実施例になるカレンダー構造について説明する。
【実施例】
【０００９】
図１、図２、図３及び図４は、本考案の造形及び表示枠機能を具備したカレンダーの一実施例を示す。
【００１０】
カレンダー構造には、年度、月次、日付、曜日等の数字のほか、図柄、会社名称等の文字が印刷され、日付を確認することができる。
【００１１】
図１及び図２に示すように、表示枠部材１は、枠状であり、四角の枠部２の内側には、一つの開口窓状の可視エリア３を有し、枠部２の上側の辺部２ａから可視エリア３内に一つの引っかけ部２１が突き出て形成してある。
【００１２】
また、枠部２の下側の辺部２ｂには、枠部２の内側の縁より外側に向いて且つ下側に向いて形成された一つの挟み部２２が形成してある。挟み部２２の下部は、枠部２の下側の辺部２ｂに形成してある固定嵌合溝２３に嵌合してある。図５に示すように、メモ用紙５は、挟み部２２と固定嵌合溝２３との間に挟まれて固定される。メモ用紙５には細かい予定等を記入することができる。よって、表示枠部材１は、メモ用紙を結合できる機能（記事機能という）を備えている。
【００１３】
図３に示すように、カレンダー４には、夫々の日付表示部４２毎にその上側の位置に、一つのスリット４１が形成してある。
【００１４】
図３及び図４に示すように、使用者は、表示枠部材１の引っかけ部２１を少し後ろに反らせて、目的とする日、例えば「０７」に対応するスリット４１に通して嵌合させて、表示枠部材１をカレンダー４に取り付ける。枠部２がカレンダー４の表面に位置するようになり、枠部２が日の表示を囲み、日の表示が可視エリア３内に現れる状態となる。使用者は、枠部２で囲まれた中に「０７」の日付表示部４２をはっきりと識別して視認することが出来る。
【００１５】
また、細かい予定等が記入されたメモ用紙５が、挟み部２２と固定嵌合溝２３との間に挟まれて固定してあり、使用者は、メモ用紙５の記載から日付「０７」の予定を正確に知ることが出来る。
【００１６】
なお、表示枠部材１は、図５に示すように、枠部２を、円形、長方形、多角形、可愛いキャラクター造型やその他の幾何学図形等、様々な形にすることが出来、或いは色付け等の手法を施すことも出来る。また、表示枠部材１は、その枠部２の表面に、当日の日付、誕生日、デート、家族行事、出張等の予定を印刷してもよい。
【００１７】
よって、図５に示すように、誕生日、デート等毎に枠部２の形状の異なる示枠部材１を取り付けておくことで、更には、メモ用紙５を挟み部２２と固定嵌合溝２３の間に挟んで固定しておくことで、使用者は、当日の日付、誕生日、デート、家族行事、出張等の予定を明確に確認することができる。
【００１８】
また、表示枠部材１は、適宜に外して、別の日の箇所に取り付けることが可能であり、繰り返し使用が可能である。
【００１９】
以上により、本考案になる「造形及び表示枠機能を具備したカレンダー構造」は内側に可視エリアを有する枠部及び造形標識を有する本体によって構成され、枠部の内側には引っかけ部、カレンダーの日付表示部には嵌合溝が設けられ、引っかけ部とカレンダーの日付表示部を結合させると、枠部を通じて当日の予定を確認することのできる美観性及び実用性を兼ね備えたカレンダー改良構造となる。
【００２０】
以下に、本考案なるカレンダー構造の効果を記載する。
（１）明確な表示効果を有する。即ち、表示枠部材に表示枠設計を採りいれたことにより、表示枠部材をカレンダーに結合させると、当日の日付や特定の日付を明確に表示し、使用者は当日の日付及び該当月の特定の日付を直ちに確認することができ、新規性及び実用性を兼ね備えた考案となっている。
（２）表示枠付きの効果を有する。即ち、表示枠部材に表示枠設計を採りいれたことにより、使用者は本体に標された日付の状況を直接確認することができ新規性及び実用性を兼ね備えた考案となっている。
（３）記事機能の効果を有する。即ち、表示枠部材の下部にメモ用紙を結合できる引っかけ部を設置したことにより、記事機能を有している。
（４）創意的な組合せの効果を有する。即ち、本考案の表示枠部材の枠部を円形、長方形、多辺形、可愛いキャラクター造型やその他の幾何学形状など、様々な形を適用することができ、美観性及び創意性を兼ね備えた組合せを実現できる。
【００２１】
以上は本考案の具体的な実施におけるに技術原理を説明するためのものであり、本考案の精神及び原則を逸脱しない限り、本考案に変更または改良を加えることができる。しかし、それらの変更または改良は全て本考案の実用新案登録請求の範囲の範疇に含まれるものである。
【図面の簡単な説明】
【００２２】
【図１】本考案の実施例１になる表示枠部材の斜視図である。
【図２】図１中、ＩＩ−ＩＩ線に沿う表示枠部材の断面図である。
【図３】図１の表示枠部材がカレンダーに取り付けられた状態を示す図である。
【図４】図３中、ＩＶ−ＩＶ線に沿う拡大断面図である。
【図５】様々な形の枠部を有する表示枠部材をカレンダーに取り付けた状態を示す図である。
【符号の説明】
【００２３】
１      表示枠部材
２      枠部
２ａ    上側の辺部
２ｂ    下側の辺部
３      可視エリア
４      カレンダー
５      メモ用紙
２１    引っかけ部
２２    挟み部
２３    固定嵌合溝
４１    スリット
４２    日付表示部
【図１】
0003128213.tif 000003
【図２】
0003128213.tif 000004
【図３】
0003128213.tif 000005
【図４】
0003128213.tif 000006
【図５】
0003128213.tif 000007